(57)【要約】      （修正有）【課題】基板ケースの下壁にハーネス用の開口を確保しながらポッティング剤が外部へ漏出することのない基板ケースを採用した浴室暖房乾燥機の提供。【解決手段】ポッティング剤３６で封止された制御基板３１を収納する基板ケース３０を備えた浴室暖房乾燥機において、基板ケース３０の下壁３３からその上方のケース内空間３７に所定長さ突出した筒部３５ａを備え、制御基板３１に接続された配線が筒部３５ａを通って外部へ導出されている。基板ケース３０は、一面が開放された箱状体３０ｅと、この箱状体３０ｅの開放面を閉鎖する蓋体３０ｆとを有し、基板ケース３０のうちの浴室暖房乾燥機に配置された状態で下方となる下壁部３３に開口部３４が設けられ、筒部３５ａは箱状体３０ｅおよび蓋体３０ｆとは別体に構成され且つ開口部３４からケース内空間３７に突出するように取付けられ、開口部３４と筒部３５ａの間をシールするシール材３５ｓが設けられている。【選択図】図７
2020063888.tif 000002
【特許請求の範囲】
【請求項１】
ポッティング剤で封止された制御基板を収納する基板ケースを備えた浴室暖房乾燥機において、
基板ケースの下壁からその上方のケース内空間に所定長さ突出した筒部を備え、
前記制御基板に接続された配線が前記筒部を通って外部へ導出されていることを特徴とする
浴室暖房乾燥機。
【請求項２】
前記基板ケースは、一面が開放された箱状体と、この箱状体の開放面を閉鎖する蓋体とを有し、前記基板ケースは前記蓋体が下方となるような姿勢で前記浴室暖房乾燥機の内部に配置され、前記蓋体の一部が上方のケース内空間に向けて突出して前記筒部を構成していることを特徴とする請求項１に記載の浴室暖房乾燥機。
【請求項３】
前記基板ケースは、一面が開放された箱状体と、この箱状体の開放面を閉鎖する蓋体とを有し、前記基板ケースは前記箱状体の一側壁が下方となるような姿勢で前記前記浴室暖房乾燥機の内部に配置され、前記一側壁の一部が上方のケース内空間に向けて突出して前記筒部を構成していることを特徴とする請求項１に記載の浴室暖房乾燥機。
【請求項４】
前記基板ケースは、一面が開放された箱状体と、この箱状体の開放面を閉鎖する蓋体とを有し、前記基板ケースのうちの浴室暖房乾燥機に配置された状態で下方となる下壁部には開口部が設けられ、前記筒部は箱状体および蓋体とは別体に構成され且つ前記開口部からケース内空間に突出するように取付けられ、前記開口部と筒部の間をシールするシール材が設けられていることを特徴とする請求項１に記載の浴室暖房乾燥機。
【発明の詳細な説明】
【技術分野】
【０００１】
本発明は、浴室暖房乾燥機に関し、特に制御基板を収容する基板ケースにポッティング剤が漏出するのを防止する構造を設けたものに関する。
【背景技術】
【０００２】
浴室の暖房や乾燥を行う浴室暖房乾燥機は、そのケーシング内に熱交換器や循環ファン等の機器が装備され、それらの機器を制御する制御基板を収納した基板ケースも前記ケーシング内に配置されている。前記制御基板の電子部品に水滴が付着するのを防止するために制御基板の表面はウレタン樹脂等からなるポッティング剤で封止されている。
【０００３】
しかし、前記基板ケースは浴室の高温・多湿環境に繰り返し晒されるため、前記ポッティング剤が高温下に加水分解等により劣化して液状化し、基板ケースが密閉されていない場合にはポッティング剤が基板ケース外へ滴下し、浴室暖房乾燥機の内外を汚す場合がある。
【０００４】
そこで、特許文献１の浴室暖房乾燥機においては、制御基板を収容する基板ケースが、箱状で下面に開放面を有する基板ケース本体と、この基板ケース本体の開放面を閉塞する基板蓋とで構成されている。基板ケース本体の上壁に制御基板が取付けられ、その表面がポッティング剤で封止され、基板ケース本体の下側に配置される基板蓋には下方へ突出した凹部状のポッティング溜まり部が形成されている。
【先行技術文献】
【特許文献】
【０００５】
【特許文献１】特許第５９７３４８６号公報
【発明の概要】
【発明が解決しようとする課題】
【０００６】
しかし、制御基板からのハーネスの引き出しのために基板ケースの底壁の一部にハーネス用開口が形成された基板ケースにおいては、特許文献１のポッティング溜まり部等の構造では、ポッティング剤の漏出を防止することは困難である。
そこで、前記ハーネス用開口に挿通させた複数のハーネス間の隙間をシールパッキンで塞いだとしても、ハーネス間に微小な隙間が残るため液密状態に封止することはできない。
【０００７】
本発明の目的は、基板ケースの下壁にハーネス用の開口を確保しながらポッティング剤の漏出を防止をできる基板ケースを採用した浴室暖房乾燥機を提供することである。
【課題を解決するための手段】
【０００８】
請求項１の浴室暖房乾燥機は、ポッティング剤で封止された制御基板を収納する基板ケースを備えた浴室暖房乾燥機において、基板ケースの下壁からその上方のケース内空間に所定長さ突出した筒部を備え、前記制御基板に接続された配線が前記筒部を通って外部へ導出されていることを特徴としている。
【０００９】
以上の構成によれば、基板ケースの下壁からその上方のケース内空間に所定長さ突出した筒部を備えているため、前記制御基板に接続された配線を前記筒部を通って外部へ導出させることができる。
【００１０】
しかも、ポッティング剤が液状化して基板ケースの下壁の方へ滴下しても、筒部はケース内空間に所定長さ突出しているため、基板ケースの下部からポッティング剤が外部へ漏出することがない。
筒部の突出長さを適切に設定すれば、ポッティング剤が筒部の上端を越えて溢れ出ることはない。このように簡単な構造の筒部を介してポッティング剤の漏出を防止でき、配線を外部へ導出することができる。
【００１１】
請求項２の浴室暖房乾燥機は、請求項１において、前記基板ケースは、一面が開放された箱状体と、この箱状体の開放面を閉鎖する蓋体とを有し、前記基板ケースは前記蓋体が下方となるような姿勢で前記浴室暖房乾燥機の内部に配置され、前記蓋体の一部が上方のケース内空間に向けて突出して前記筒部を構成していることを特徴としている。
【００１２】
以上の構成によれば、蓋体に筒部を一体形成しているため、基板ケースの構造が簡単化する。
【００１３】
請求項３の浴室暖房乾燥機は、請求項１において、前記基板ケースは、一面が開放された箱状体と、この箱状体の開放面を閉鎖する蓋体とを有し、前記基板ケースは前記箱状体の一側壁が下方となるような姿勢で前記浴室暖房乾燥機の内部に配置され、前記一側壁の一部が上方のケース内空間に向けて突出して前記筒部を構成していることを特徴としている。
以上の構成によれば、箱状体の一側壁に筒部を一体形成するため、基板ケースの構造が簡単化する。
【００１４】
請求項４の浴室暖房乾燥機は、請求項１において、前記基板ケースは、一面が開放された箱状体と、この箱状体の開放面を閉鎖する蓋体とを有し、前記基板ケースのうちの浴室暖房乾燥機に配置された状態で下方となる下壁部には開口部が設けられ、前記筒部は箱状体および蓋体とは別体に構成され且つ前記開口部からケース内空間に突出するように取付けられ、前記開口部と筒部の間をシールするシール材が設けられていることを特徴としている。
【００１５】
以上の構成によれば、筒部を箱状体および蓋体とは別体に構成し、その筒部を箱状体の下壁部に形成した開口部にケース内空間に突出するように取付けるため、筒部を除く基板ケースの構造を簡単化し、製作費を低減することができる。また、開口部と筒部の間をシールするシール材を設けたため、ポッティング剤が基板ケースの外部へ漏出する虞もない。
【発明の効果】
【００１６】
本願発明は、以上のような種々の効果を奏する。
【図面の簡単な説明】
【００１７】
【図１】本発明の実施例に係る浴室暖房乾燥システムの構成図である。
【図２】実施例１の基板ケースの分解斜視図である。
【図３】実施例１の角筒部材の斜視図である。
【図４】上記角筒部材の縦断面図である。
【図５】上記の基板ケースと角筒部材の分解斜視図である。
【図６】上記の基板ケースの斜視図である。
【図７】上記の基板ケースと制御基板とポッティング剤の縦断面図である。
【図８】実施例２の基板ケースの分解斜視図である。
【図９】実施例２の基板ケースと制御基板とポッティング剤の縦断面図である。
【図１０】実施例３の基板ケースの分解斜視図である。
【図１１】実施例３の基板ケースと制御基板とポッティング剤の縦断面図である。
【発明を実施するための形態】
【００１８】
次に、本発明を実施するための形態について、実施例に基づいて説明する。
【実施例１】
【００１９】
最初に、浴室暖房乾燥システム１について、図１に基づいて説明する。
浴室２内には浴槽３と操作パネル４が設けられ、浴室２の外部には、貯湯タンクを含む貯湯給湯ユニット５と、この貯湯給湯ユニット５への高温水（約８５〜９０℃）を発生させるヒートポンプユニット６と、前記操作パネル４に接続された制御ユニット７とが設けられ、浴室２の天井側には天井カセット形の浴室暖房乾燥機１０が設けられている。尚、前記ヒートポンプユニット６に代えて、燃料電池ユニット又はガス燃焼式熱源機等を採用してもよい。
【００２０】
貯湯給湯ユニット５は給水系８から給水され、その水はヒートポンプユニット６で加熱されて貯湯タンクに貯湯される。この貯湯タンクの高温水が浴室暖房乾燥機１０へ給湯管１１で供給されると共に低温温水が戻り管１２で貯湯タンクへ戻る。ミスト用水は貯湯給湯ユニット５から水供給管１３により浴室暖房乾燥機１０へ供給される。この浴室暖房乾燥機１０は、浴室２内を暖房(乾燥も含む)すると共に浴室２内に温かいミストを噴霧する機能を備えたものである。
【００２１】
浴室暖房乾燥機１０には、浴室２内の空気を循環させる送風ファン１５、高温水（高温の熱媒体）を内部に流通させて浴室２内を暖房する為の暖房用熱交換器１６，１７、温風吹出し口１８、高温水との熱交換によってミスト用水を加熱する為のミスト用熱交換器１９、複数のミスト用ノズル２０、浴室換気用の換気ファン２１、浴室暖房乾燥機１０を制御する制御ユニットである制御基板３１を収容した基板ケース３０等が設けられている（図７参照）。尚、制御基板３１は、操作パネル４と制御ユニット７に接続されている。
【００２２】
次に、浴室暖房乾燥機１０の制御基板３１と基板ケース３０等について、図２〜図７に基づいて説明する。尚、図中、矢印Ｕは上方を、矢印Ｌは左方を、矢印Ｒは右方を、矢印Ｄは下方を、矢印Ｆは前方を、矢印Ｂは後方を夫々示す。
基板ケース３０は、浴室暖房乾燥機１０のケーシング１４内の上部の右側隅部に配置され、基板ケース３０の後壁がケーシング１４の後壁の内面に近接する状態に取付けられている。
【００２３】
合成樹脂製の基板ケース３０は、一面（前面）が開放された箱状体３０ｅと、この箱状体３０ｅの開放面３２を閉鎖する蓋体３０ｆとを有し、基板ケース３０のうちの浴室暖房乾燥機１０に配置された状態で下方となる下壁部３３には矩形の開口部３４（図５参照）が設けられ、この開口部３４に筒部３５ａを有する合成樹脂製の角筒体３５が装着されている。そして、制御基板３１に接続された配線３１ａが筒部３５ａを通って外部へ導出されている。
【００２４】
箱状体３０ｅは、ビスで箱状体３０ｅをケーシング１４に固定するための複数のボス部３０ａと、蓋体３０ｆをビスで箱状体３０ｅに固定するための４つの連結部３０ｂとを有する。蓋体３０ｆの外周部には、ビスを通すための４つの連結部３０ｄが形成され、蓋体３０ｆの下部の中央部には前側へ膨んだ矩形状の膨出部３０ｃが形成されている。
【００２５】
図７に示すように、基板ケース３０の箱状体３０ｅの後壁３０ｂの内面には制御基板３１が取付けられ、この制御基板３１はウレタン樹脂等からなるポッティング剤３６で数ｍｍの厚さに封止されている。図３、図４に示すように、角筒体３４は箱状体３０ｅおよび蓋体３０ｆとは別体に構成されている。
【００２６】
角筒体３４は、断面が長方形の筒部３５ａと、この筒部３５ａの下端部に筒部３５ａと直交するように一体的に形成された４つのフランジ部３５ｂ，３５ｃと、筒部３５ａの外面に装着されたシール材３５ｓと、４つのフランジ部３５ｂ，３５ｃの上面に塗着された粘着剤３５ｆ及び剥離紙等を備えている。角筒体３４は、合成樹脂材料で一体的に形成してもよく、合成樹脂製の薄板部材（シート材）の展開シートを折り曲げ加工する等により製作してもよい。
前記シール材３５ｓは、合成樹脂製の発泡体（例えばエチレンプロピレンゴム等）であって、独立気泡と連続孔を半々とするものである。シール材３５ｓは、上記の連続孔により水分の透過を許すが、粘度の高い液状化したポッティング剤等は透過させないものである。
【００２７】
角筒体３５を基板ケース３０に取付けた状態では、筒部３５ａが開口部３４からその上方のケース内空間３７（図７参照）に所定長さ（例えば２５〜３０ｍｍ）突出するように取付けられ、開口部３４と筒部３５ａの間はシール材３５ｓでシールされている。
【００２８】
角筒体３５を基板ケース３０に取付ける場合、図２に示す段階において、角筒体３５を開口部３４に対応する部位にセットし、基板ケース３０の下部において箱状体３０ｅと蓋体３０ｆ間をシールするパッキン部材３８をセットしてから箱状体３０ｅに蓋体３０ｆを取付ける。その後、角筒体３５の４つのフランジ部３５ｂ，３５ｃの剥離紙をはがしてから４つのフランジ部３５ｂ，３５ｃを下壁部３３の外面に粘着させる。蓋体３０ｆは例えば４本のビスにより箱状体３０ｅに固定される。このとき、開口部３４と筒部３５ａの間にシール材３５ｓが挟着され、シール状態になる。
【００２９】
浴室暖房乾燥機１０を高温・多湿の環境で長年使用している間に、ポッティング剤３６が液状化して基板ケース３０の下壁部３３の方へ滴下していく。
ここで、筒部３５ａが上方へ所定長さ突出しており、開口部３４と筒部３５ａの間はシール材３５ｓでシールされており、前記パッキング部材３８の上端は筒部３５ａの上端と同高さ位置に設定されている。それ故、液化したポッティング剤３６が基板ケース３０の下部から外部へ漏出することはなく、液化したポッティング剤３６が基板ケース３０から漏出することはない。
【００３０】
以上説明した制御基板３１及び基板ケース３０の作用、効果について説明する。
基板ケース３０の下壁３３からその上方のケース内空間３７に所定長さ突出した筒部３５ａを備えているため、制御基板３１に接続された配線を筒部３５ａを通して外部へ導出させることができる。また、基板ケース３０の音声発生部で発生する音も筒部３５ａを通って外部へ伝播する。
【００３１】
しかも、ポッティング剤３６が液状化して基板ケース３０の下壁３３の方へ滴下しても、筒部３５ａはケース内空間３７に所定長さ突出しているため、基板ケース３０の下部からポッティング剤３６が外部へ漏出することがない。筒部３５ａの突出長さを適切に設定すれば、ポッティング剤３６が筒部３５ａの上端を越えて溢れ出ることはない。このように簡単な構造の筒部３５ａを介してポッティング剤３６の漏出を防止でき、制御基板３１から延びる配線を外部へ導出することができる。
【００３２】
しかも、筒部３５ａを箱状体３０ｅおよび蓋体３０ｆとは別体に構成し、その筒部３５ａを箱状体３０ｅの下壁部３３に形成した開口部３４にケース内空間３７に突出するように取付けるため、角筒体３５以外の基板ケース３０の構造を簡単化し、製作費を低減することができる。
また、開口部３４と筒部３５ａの間をシールするシール材３５ｓを設けたため、基板ケース３０内からポッティング剤３６が基板ケース３０の外部へ漏出する虞もない。但し、基板ケース３０の下部に滴下する水分は、シール材３５ｓを透過して基板ケース３０の下方へ流出するため、基板ケース３０内に溜まることはない。
【実施例２】
【００３３】
次に、実施例２に係る制御基板３１及び基板ケース３０Ａについて説明する。
但し、前記実施例１と同様の部材等については同様の符号を付して説明を省略し、異なる構成についてのみ説明する。
【００３４】
図８、図９に示すように、基板ケース３０Ａは正面視にて正方形状に形成され、基板ケース３０Ａは、一面（前面）が開放された箱状体３０ｍと、この箱状体３０ｍの開放面を閉鎖する蓋体３０ｎとを有し、基板ケース３０Ａは箱状体３０ｍの一側壁４０が下方となるような姿勢で浴室暖房乾燥機の内部に配置され、一側壁４０（これが下壁部に相当する）の一部が上方のケース内空間４１に向けて突出して筒部４２を構成し、この筒部４２は、一側壁４０からその上方のケース内空間４１に所定長さ突出している。この筒部４２を通って制御基板３１に接続された配線３１ａが外部へ導出されている。
【００３５】
図８に示すように、基板ケース３０Ａの下部において、箱状体３０ｍと蓋体３０ｎとの間には、パッキン部材４３が装着される。このパッキン部材４３の上端は、筒部４２の上端と同高さ位置に位置している。図９は、浴室暖房乾燥機のケーシングの後壁の内面に取付けられた状態における基板ケース３０Ａ等の縦断面図を示すものである。
【００３６】
図９に示すように、基板ケース３０Ａの内部には制御基板３１が取付けられ、制御基板３１は、実施例１と同様に箱状体３０ｍの後壁４４の内面に取付けられ、制御基板３１の表面側はポッティング剤３６で数ｍｍの厚さに封止されている。
【００３７】
筒部４２が上方へ所定長さ突出しているため、液状化したポッティング剤３６が基板ケース３０Ａの下部から筒部４２を通って外部へ漏出することはない。
また、基板ケース３０Ａの下部において箱状体３０ｍと蓋体３０ｎとの間には、パッキン部材４３が装着されているため、液状化したポッティング剤３６が外部へ漏出しない。
この基板ケース３０Ａでは、筒部４２を箱状体３０ｍと一体形成しているため基板ケース３０Ａの構造が簡単になる。
【実施例３】
【００３８】
次に、実施例３に係る制御基板３１及び基板ケース３０Ｂについて説明する。但し、前記実施例１と同様の部材等については同様の符号を付して説明を省略し、異なる構成についてのみ説明する。
【００３９】
図１０、図１１に示すように、基板ケース３０Ｂは平面視にて正方形状に形成され、基板ケース３０Ｂはその下壁４５からその上方のケース内空間４６に所定長さ（例えば１５ｍｍ）突出した筒部４７を備え、制御基板３１に接続された配線３１ａが筒部４７を通って外部へ導出されている。
基板ケース３０Ｂは、一面（下面）が開放された箱状体３０ｕと、この箱状体３０ｕの開放面を閉鎖する蓋体３０ｖとを有し、基板ケース３０Ｂは蓋体３０ｖが下方となるような姿勢で浴室暖房乾燥機の内部に配置され、蓋体３０ｖ（これが下壁４５に相当する）の一部が上方のケース内空間４６に向けて突出して筒部４７を構成している。
【００４０】
図１０に示すように、蓋体３０ｖの周壁の上端のリング溝にはＯリング４８が装着され、蓋体３０ｖと箱状体３０ｕを閉じた際に、Ｏリング４８により蓋体３０ｖと箱状体３０ｕの間の隙間がシールされる。蓋体３０ｖの内面側の４隅には、ビス挿通孔を形成した連結部４９が形成され、このビス挿通孔に挿通させたビスを箱状体３０ｕのビス穴に螺合させて箱状体３０ｕと蓋体３０ｖとを結合する。図１１は、浴室暖房乾燥機のケーシングの上壁の内面に取付けられた状態における基板ケース３０Ｂ等の縦断面図を示すものである。
【００４１】
図１１に示すように、基板ケース３０Ｂの内部には制御基板３１が取付けられ、制御基板３１は、箱状体３０ｕの上壁の内面に取付けられ、制御基板３１の表面側はポッティング剤３６で数ｍｍの厚さに封止されている。
【００４２】
筒部４７が上方へ所定長さ突出しているため、液状化したポッティング剤３６が基板ケース３０Ｂの下部から筒部４７の上端を越えて下方へ漏出することはない。
この基板ケース３０Ｂでは、筒部４７を蓋体３０ｖに一体形成しているため、基板ケース３０Ｂの構造が簡単化する。
【００４３】
次に、前記実施例を部分的に変更する例について説明する。
１）基板ケースの正面視の形状は、正方形に限らず矩形状でもよい。また、基板ケースを外部の部材に固定するための構成、箱状体と蓋体とを連結するための構成等は、適宜変更可能である。
【００４４】
２）図８に示す筒部を形成する位置は一例であり、変更可能である。また、同様に、図１０に示す筒部を形成する位置は一例であり、変更可能である。
３）その他、当業者ならば本発明の趣旨を逸脱することなく、前記実施例に種々の変更を付加した形態で実施可能であり、本発明はそのような変更形態も包含するものである。
【符号の説明】
【００４５】
１０      浴室暖房乾燥機
３０      基板ケース
３０ｅ    箱状体
３０ｆ    蓋体
３１      制御基板
３１ａ    配線
３０Ａ    基板ケース
３０ｍ    箱状体
３０ｎ    蓋体
３０Ｂ    基板ケース
３０ｕ    箱状体
３０ｖ    蓋体
３４      開口部
３５      角筒体
３５ｓ    シール材
３６      ポッティング剤
３７，４１，４６    ケース内空間
３５ａ，４２，４７    筒部
【図１】
2020063888.tif 000003
【図２】
2020063888.tif 000004
【図３】
2020063888.tif 000005
【図４】
2020063888.tif 000006
【図５】
2020063888.tif 000007
【図６】
2020063888.tif 000008
【図７】
2020063888.tif 000009
【図８】
2020063888.tif 000010
【図９】
2020063888.tif 000011
【図１０】
2020063888.tif 000012
【図１１】
2020063888.tif 000013